(57)【要約】【課題】  電力量計の引込み線及び負荷線の配線変更による不正使用の恐れの少ない電力量計を備えた屋内分電盤及びその電力量計を提供する。【解決手段】  電力量計ベース７と、前記電力量計１の電力量測定手段を封印する封印手段を備えた検定封印部５と、前記電力量計１への引込み線１２及び前記電力量計１からの負荷線１３を前記電力量計ベース７上で接続・固定する中継端子７ｂを設け、前記中継端子７ｂ及びその配線部を覆って封印する封印手段を備えた電力封印部６とを備え、前記電力封印部６は、前記引込み線１２を前記分電盤１０の分電盤ベース底面１０ｂ及び前記電力量計ベース７の取り付け底面に設けた配線穴７ｃ、１０ｃから挿通させ、前記負荷線１３は、前記電力量計ベース７の側面に設けた配線手段を介して前記分電盤１内の他の機器と接続するようにしたことを特徴とする。【選択図】  図１
2005151647.tif 000002
【特許請求の範囲】
【請求項１】
電力量計を備えた分電盤であって、
前記電力量計は、前記電力量計を前記分電盤内で取り付けるベースと、
前記ベースに固定され、前記電力量計の電力量測定手段を封印する封印手段を備えた検定封印部と、
前記電力量計への引込み線及び前記電力量計からの負荷線を前記ベース上で接続・固定する中継端子を設け、前記中継端子及びその配線部を覆って封印する封印手段を備えた電力封印部とを
備え、
前記電力封印部は、前記引込み線を前記分電盤の分電盤ベース底面及び前記電力量計のベース取り付け底面に設けた配線穴から挿通させ、前記負荷線は、前記ベースの側面に設けた配線手段を介して前記分電盤内の他の機器と接続するようにしたことを特徴とする電力量計を備えた屋内分電盤。
【請求項２】
分電盤内に備えられる電力量計であって、
前記電力量計は、前記電力量計を前記分電盤内で取り付けるベースと、
前記ベースに固定され、前記電力量計の電力量測定手段を封印する封印手段を備えた検定封印部と、
前記電力量計への引込み線及び前記電力量計からの負荷線を接続する中継端子部を設け、前記中継端子及びその中継配線部を覆って封印する封印手段を備えた電力封印部とを
備え、
前記電力封印部は、引込み線を前記ベース底面に設けた配線穴を介して挿通し、前記負荷線は、前記ベースの側面に設けた配線手段を介して前記分電盤内の他の機器と接続するようにしたことを特徴とする電力量計。
【発明の詳細な説明】
【技術分野】
【０００１】
本発明は、電力量計を備えた屋内分電盤及びその電力量計に係わり、特にその電力量計への配線部を封印した電力量計を備えた屋内分電盤及びその電力量計に関する。
【背景技術】
【０００２】
従来の個人住宅における電力供給系統、及びそこで使用される電力量計と分電盤について、図４乃至図６を参照して説明する。図４は個人住宅における電力供給系統を示し、個人住宅の電力は、電柱３１からの引込み線１２を、住宅屋外壁面１５に取り付けられた電力量計２１へ接続し、この電力量計２１から屋内に設置される分電盤２２に負荷線１３を接続し、ここで後述する主幹ブレーカー２２ａ、この負荷系統の漏電検出器２２ｂ及び主幹ブレーカー２２ａから分岐する分岐ブレーカー２２ｃを介して住宅内の設備に供給するようにしている。
【０００３】
図５（ａ）は電力量計２１を住宅屋外壁面１５に取り付けた状態を示す側断面図で、電力量計２１は、検定封印部２１ａ、電力封印部２１ｂ及びこれらを取り付けたベース２１ｃとから構成される。
【０００４】
検定封印部２１ａは、図示しない電力量測定部を覆うカバー２１ａ１と、このカバー２１ａ１を封印ネジで封印（検定封印と言う）する封印手段を備えている。
【０００５】
図５（ｂ）は電力封印部２１ｂの詳細構成を示す平面図である。電力封印部２１ｂは、電力量計２１への引込み線１２及び電力量計２１から分電盤２２内への負荷線１３の配線を、電力封印部２１ｂ内のベース２１ｃ上において中継・接続する中継端子１２１及びこの中継端子１２１をカバー２１ｂ１で覆って封印ネジで封印（電力封印と言う）する封印手段とを備えている。
【０００６】
そして、予め検定封印された電力量計２１は、ベース２１ｃを住宅屋外壁面１５に固定し、引込み線１２及び負荷線１３を中計端子１２１で接続し、その後この中継端子１２１をカバー２１ｂ１で覆って封印ネジ２１ｂ２で電力封印する。
【０００７】
即ち、配線工事後は、この引込み線１２及び負荷線１３の配線がいたずら等で変更できない封印構造としている（例えば、特許文献１参照。）。
【０００８】
次に、従来の個人住宅用の電力量計２１及び分電盤２２の電力配線系統を、図６を参照して説明する。住宅屋外壁面１５に取り付けられる電力量計２１からの負荷線１３は、屋内に設置される分電盤２２の主幹ブレーカー２２ａに接続され、この主幹ブレーカー２２ａの出力は、この回路の漏電を検出する漏電遮断器２２ｂ及び、複数の分岐ブレーカー２２ｃに接続され、分岐ブレーカー２２ｃから住宅内の個々の設備に配線されている。
【０００９】
近年、電力量計２１や分電盤２２は、集合住宅等の壁に埋め込んで使用できるように小型化することが要求され、小型で軽量な、薄型の機器の開発が進められている。電力量計２１においては、電子化が進み主幹ブレーカー２２ａや漏電遮断器２２ｂ並に小型化された形状の電力量計２１の開発が進み、その結果、電力量計２１を内蔵する分電盤２２の開発が進められるようになった（例えば、分電盤２２の小型化については特許文献２参照。）。
【００１０】
しかし、電力量計２１内蔵させた分電盤２２においては、分電盤２２は従来同様に安全機能を分電盤２２の使用者が操作する必要があることから、屋内設置となる。この場合、電力量計２１は屋内に置かれるので、電力量計２１は従来のような電力供給元による電力量の定期検診や電力量計の点検を任意のタイミングで実施することが困難となる。そして、点検のためには予め点検日を使用者に通知し、使用者の許可を得て実施することが必要になる。
【００１１】
この場合、点検時以外には電力量計２１の不正な使用状態を発見する機会が限られるため、屋内において電力量計２１を介さないで、引込み線１２を直接負荷線１３に接続して電力を使用する等の不正な配線がされる恐れがあるとともに、その発見機会も遅くなる問題がある。
【特許文献１】特公平５−１１８６０号公報
【特許文献２】特開２０００−３１６２１１号公報
【発明の開示】
【発明が解決しようとする課題】
【００１２】
小型化された電力量計を備えた屋内に設置される分電盤は、設置しやすい反面、例えば、引込み線及び負荷線の配線変更等による電力量計の不正な使用が行われる恐れがある。
【００１３】
即ち、引込み線と負荷線の配線部分を分電盤内で露出させた電力封印部を備えた電力量計においては、引込み線及び負荷線を電力量計から切り離したり、引込み線と負荷線を短絡したりして、引込み線から供給される電力を、電力量計を作動させない状態で使用される恐れがある。
【００１４】
また、電力量計の点検は予め告知して点検することになるので発見が遅れたり、発見が困難となったりする恐れがある。
【００１５】
特許文献１に記載の電子式電力量計の封印構造や、特許文献２で知られているような分電盤においては、このような電力量計を内蔵させた分電盤の不正使用の恐れに対する対策手段は知られていない。
【００１６】
本発明は上記問題点を解決するためになされたもので、電力量計の引込み線及び負荷線の配線変更による不正使用の恐れの少ない、小型化された電力量計を備えた屋内分電盤及びその電力量計を提供することを目的とする。
【課題を解決するための手段】
【００１７】
上記目的を達成するために、本発明の第１の発明は、電力量計を備えた分電盤であって、前記電力量計は、前記電力量計を前記分電盤内で取り付けるベースと、前記ベースに固定され、前記電力量計の電力量測定手段を封印する封印手段を備えた検定封印部と、前記電力量計への引込み線及び前記電力量計からの負荷線を前記ベース上で接続・固定する中継端子を設け、前記中継端子及びその配線部を覆って封印する封印手段を備えた電力封印部とを備え、前記電力封印部は、前記引込み線を前記分電盤の分電盤ベース底面及び前記電力量計のベース取り付け底面に設けた配線穴から挿通させ、前記負荷線は、前記ベースの側面に設けた配線手段を介して前記分電盤内の他の機器と接続するようにしたことを特徴とする。
【００１８】
また、本発明の第２の発明は、分電盤内に備えられる電力量計であって、前記電力量計は、前記電力量計を前記分電盤内で取り付けるベースと、前記ベースに固定され、前記電力量計の電力量測定手段を封印する封印手段を備えた検定封印部と、前記電力量計への引込み線及び前記電力量計からの負荷線を接続する中継端子部を設け、前記中継端子及びその中継配線部を覆って封印する封印手段を備えた電力封印部とを備え、前記電力封印部は、引込み線を前記ベース底面に設けた配線穴を介して挿通し、前記負荷線は、前記ベースの側面に設けた配線手段を介して前記分電盤内の他の機器と接続するようにしたことを特徴とする。
【発明の効果】
【００１９】
本発明によれば、分電盤ベースに取り付ける電力量計への引込み線を、分電盤取り付けベース底面及び電力量計のベース底面から挿通させ、更に、引込み線及び負荷線の配線端子及びその配線部を覆って封印する封印手段を備えたので、引込み線及び負荷線の配線を変更する恐れの少ない、小型化された電力量計を備えた屋内分電盤及びその電力量計を提供できる。
【発明を実施するための最良の形態】
【００２０】
以下、図１乃至図３を参照して本発明による実施例を説明する。図１（ａ）は、分電盤ベース１０ｂに取り付けられた電力量計の側断面図、同図（ｂ）はその電力封印部６の平面図、図２は、この電力量計１を備えた分電盤１０の電力供給系統図、また、図３は、この電力量計を備えた分電盤１０内に設けられる各機器の構成とその配置図を示す。
【００２１】
図２において、本発明の電力量計１を備えた分電盤１０は、住宅屋内壁面１６に取り付けられ、電力は、住宅屋内壁面１６の外壁面から、電柱３１からの引き込み線１２を支持バー１４で中継して屋内に挿通し、分電盤１０の電力量計１に接続して、分電盤１０内の安全ブレーカーを経由して供給される。
【００２２】
次に、図３において、この分電盤１０は、引込み線１２と負荷線１３の中継端子を備えた電力量計１、この分電盤１０の負荷電流の安全ブレーカーである主幹ブレーカー２、この分電盤１０の負荷回路の漏電を検出する漏電遮断器３及びこの主幹ブレーカー２から分岐される分岐回路の安全ブレーカーである分岐ブレーカー４とから構成される。
【００２３】
そして、この分電盤１０内の配線は、引込み線１２を電力量計１の詳細を後述する電力封印部６の中継端子に接続し、この分電盤１０内の検定封印部５を構成する図示しない電力量測定手段を介して電力を測定するとともに、電力量計１の負荷を電力封印部６の中継端子を介して負荷線１３によって主幹ブレーカー２と接続する。
【００２４】
さらに、主幹ブレーカー２の負荷側は、この負荷回路の漏電遮断機器３と、主幹ブレーカー２から分岐される複数の分岐ブレーカー４とに接続される。
【００２５】
次に、このような電力量計１を備えた分電盤１０に取り付ける電力量計１の詳細構成について図１（ａ）を参照して説明する。
【００２６】
分電盤１０内に取り付けられる電力量計１は、図示しない電力量測定手段を内蔵し、予め、電力量の測定精度が保証されたこと示す印しと封印がされた検定封印部５と、引込み線１２及び負荷線を中継し、これらの配線工事後に封印がされる電力封印部７、及び分電盤ベース１０ｂに取り付けられ、検定封印部５と電力封印部６とが搭載される電力計ベース７とから構成される。
【００２７】
次に、図１（ｂ）を参照して電力封印部６の詳細構成を説明する。電力封印部は、引込み線１２及び負荷線１３を中継し、電力量計ベース７に備えられる中継端子部７ｂと、引込み線１２及び負荷線１３を配線後に中継端子７ｂを含む配線部分を覆い封印するカバー６ａ及びその封印ネジ６ｂとから構成される。
【００２８】
そして、電力封印部６の電力量計ベース７には、引込み線１２と負荷線１３を挿通させる配線穴７ｃと７ｄが、夫々電力量計１の低部と下部側面に設けられる。また、引込み線１２及び負荷線１３を中継する中継端子７ｂは、Ｌ字金具をモールド成形した端子台で、検定封印部５と電力封印部６とを接続する構造を備えて、電力量計ベース７上部に取り付ける構造、もしくは電力量計ベース７と一体成形した構造のいずれでも良い。
【００２９】
尚、同図（ｂ）は単相３線式の場合を示し、引込み線１２及び負荷線１３が、同じ中継端子７ｂで中継する場合を示しているが、夫々が独立した端子の構造であっても良い。
【００３０】
次に、このように構成された電力量計１を分電盤１０内に取り付ける方法について説明する。先ず、この分電盤ベース１０ｂには、予め検定封印された電力量計１を取り付けネジ７ａで、電力量計１の配線穴７ｃと分電盤ベース１０ｂの配線穴１０ｃの中心位置を合わせて固定しておく。
【００３１】
そして、分電盤ベース１０ｂの配線穴７ｃの中心位置を、住宅の壁に明ける配線穴１６ａと合わせて引込み線１２を住宅屋内に挿通させ、取り付けネジ１０ｃで住宅屋内壁面１６の壁に固定する。
【００３２】
次に、引込み線１２を屋外から配線穴１６ａ、配線穴１０ｃ及び配線穴７ｃを挿通して、中継端子７ｂに接続する。
【００３３】
次に、負荷線１３を主幹ブレーカー２の入力部へ分電盤１０内で接続する。この接続方法は、図示したようなラグ端子とその配線線材による接続でも良いが、分電盤１０内に各機器を接続する配線バス等を設け、このバスにワンタッチで挿入固定する構造とすれば効率が良い。
【００３４】
負荷線１３の配線が完了すると、電力量計１の電力封印を行う。電力封印は、中継端子７ｂとその配線部分に変更が加えられないようにカバー６ａ及び封印ネジ６ｂで構成される封印手段で覆って封印ラベルを貼って封印する。そして、その上に分電盤１０のカバー１０ａが取り付けられる。
【００３５】
したがって、このような構造においては、分電盤１０のカバー１０ａを明けて引込み線１２の配線を変えようとしても、引込み線１２は分電盤１０内部に露出していないので、電力封印部６を何らかの手段で壊さない限り電力量計１の引込み線１２及び負荷線１３の配線状態を変更することができない。
【００３６】
なお、本発明は上記実施例に限定されるものでなく、例えば、電力封印部６は引込み線１２と負荷線１３は同一の中継端子７ｂで中継する構成としたが、各々を独立した中継端子として異なる箇所に設けても良く、本主旨を逸脱しない範囲で適宜変形することも可能である。
【図面の簡単な説明】
【００３７】
【図１】本発明の分電盤内に取り付けた電力量計の側面図及びその電力封印部の詳細構成図。
【図２】本発明の電力供給系統図。
【図３】本発明の電力量計を備えた屋内分電盤の構成図。
【図４】従来の電力供給系統図。
【図５】従来の電子式電力量計の取り付け側断面図とその電力封印部の構成図。
【図６】従来の電子式電力量計と分電盤の配線系統図。
【符号の説明】
【００３８】
１  電力量計
２、２２ａ  主幹ブレーカー
３、２２ｂ  漏電遮断器
４、２２ｃ  分岐ブレーカー
５  検定封印部
６  電力封印部
６ａ  カバー
６ｂ  封印ネジ
７  電力量計ベース
７ａ  取り付けネジ
７ｂ  端子金具
７ｃ、７ｄ  配線穴
１０  分電盤
１０ａ  カバー
１０ｂ  分電盤ベース
１０ｃ  配線穴
１２  引込み線
１３  負荷線
１４  支持バー
１５  住宅屋外壁面
１６  住宅屋内壁面
１６ａ  配線穴
２１  電力量計
２１ａ  検定封印部
２１ａ１  カバー
２１ｂ  電力封印部
２１ｂ１  カバー
２１ｃ  ベース
２２  分電盤
３１  電柱
１２１  中継端子
【図１】
2005151647.tif 000003
【図２】
2005151647.tif 000004
【図３】
2005151647.tif 000005
【図４】
2005151647.tif 000006
【図５】
2005151647.tif 000007
【図６】
2005151647.tif 000008